(57)【要約】【課題】  空調機に関わる状況を客観的かつ容易に確認することができ、たとえば不具合が存在する場合は迅速な対処が可能な空調機データ提供システムおよび空調機データ提供方法を提供する。【解決手段】  各室内機３の室内温度制御に基づく発停回数データを収集し、収集した発停回数データのうち所定期間中の発停回数データを表示出力、プリント出力、あるいは送信出力する。【選択図】      図１
2005121276.tif 000002
【特許請求の範囲】
【請求項１】
室外機および複数の室内機を有する空調機の空調機データ提供システムにおいて、前記各室内機の室内温度制御に基づく発停回数データを収集する手段と、この収集された発停回数データのうち所定期間中の発停回数データを出力する手段と、を備えたことを特徴とする空調機データ提供システム。
【請求項２】
冷暖房の運転モード、被空調空間の設定温度を定めるための温度設定手段、被空調空間の温度を検知する室温センサを有する空調機の空調機データ提供システムにおいて、前記温度設定手段による設定温度データおよび前記室温センサの検知温度データを前記運転モード別に収集する手段と、この収集された運転モード別の設定温度データおよび検知温度データのそれぞれ所定期間中の平均値を求める手段と、この求められた結果を出力する手段と、を備えたことを特徴とする空調機データ提供システム。
【請求項３】
室外機および室内機を有し、かつ室外機に室外の温度を検知する外気温センサを設けた空調機の空調機データ提供システムにおいて、前記外気温センサの検知温度データを収集する手段と、この収集されたデータのうち所定期間中のデータを出力する手段と、を備えたことを特徴とする空調機データ提供システム。
【請求項４】
室外機および複数の室内機を有する空調機の空調機データ提供システムにおいて、前記室外機における圧縮機の発停回数データを収集する手段と、この収集された発停回数データのうち所定期間中の発停回数データを出力する手段と、を備えたことを特徴とする空調機データ提供システム。
【請求項５】
室外機、複数の室内機、冷暖房の運転モード、被空調空間の設定温度を定めるための温度設定手段、被空調空間の温度を検知する室温センサを有し、かつ室外機に室外の温度を検知する外気温センサを設けた複数の空調機の空調機データ提供システムにおいて、
前記各室内機の室内温度制御に基づく発停回数データを収集する手段と、この収集された発停回数データのうち所定期間中の発停回数データを一覧表にして出力する手段と、前記温度設定手段による設定温度データおよび前記室温センサの検知温度データを前記運転モード別に収集する手段と、この収集された運転モード別の設定温度データおよび検知温度データのそれぞれ所定期間中の平均値を求める手段と、この求められた結果を前記一覧表に含めて出力する手段と、前記外気温センサの検知温度データを収集する手段と、この収集されたデータのうち所定期間中のデータを一覧表に含めて出力する手段と、を備えたことを特徴とする空調機データ提供システム。
【請求項６】
室外機、複数の室内機、冷暖房の運転モード、被空調空間の設定温度を定めるための温度設定手段、被空調空間の温度を検知する室温センサを有し、かつ室外機に室外の温度を検知する外気温センサを設けた複数の空調機の空調機データ提供システムにおいて、
前記各室内機の室内温度制御に基づく発停回数データを収集するステップと、この収集された発停回数データのうち所定期間中の発停回数データを一覧表にして出力するステップと、前記温度設定手段による設定温度データおよび前記室温センサの検知温度データを前記運転モード別に収集するステップと、この収集された運転モード別の設定温度データおよび検知温度データのそれぞれ所定期間中の平均値を求めるステップと、この求められた結果を前記一覧表に含めて出力するステップと、前記外気温センサの検知温度データを収集するステップと、この収集されたデータのうち所定期間中のデータを一覧表に含めて出力するステップと、を備えたことを特徴とする空調機データ提供方法。
【発明の詳細な説明】
【技術分野】
【０００１】
この発明は、空調機の各種データを収集し出力する空調機データ提供システムおよび空調機データ提供方法に関する。
【背景技術】
【０００２】
家庭用の空気調和機（以下、空調機という）の各種データを遠隔のセンタ装置で収集し、収集した各データから１ヶ月間の電力使用料、平均設定温度、積算運転時間を求めたり、収集した各データの統計処理に基づく偏差値等を求め、また他の家庭での同様の項目の値を求め、これら求めた結果を出力たとえばリモコンの表示部で表示したりプリンタでプリントアウトすることにより、空調機の省エネルギに関する使い方の診断が可能なシステムがある（例えば特許文献１）。
【特許文献１】特開平１１−３３７１４９号公報
【発明の開示】
【発明が解決しようとする課題】
【０００３】
上記のシステムは、省エネルギ診断を目的としており、被空調空間と空調機の能力過不足との関係については確認できない。通常、空調機の設置時には、空調対象となる被空調空間と空調機の空調能力との関係を検討した上で採用するべき空調機が選定されるが、その後の被空調空間における間仕切りの変更や、ＯＡ機器による温熱負荷等の要因によって、被空調空間と空調機の空調能力とが不一致となる可能性もある。
【０００４】
従来、このような問題は、使用者（ユーザ）が空調機を使用している間に、冷えないとか、逆に冷え過ぎるといった不具合を感覚的に感知しているのが実情であり、被空調空間と空調機の能力の不一致については客観的に確認することができなかった。
【０００５】
また、空調機の室外機においては、その周囲の状況によっては障害物があるため、室外熱交換器の熱交換が不十分となり、所定の性能を発揮できないという問題が発生することもある。このような状態についても、上記の場合と同様に使用者（ユーザ）が空調機を使用している間に冷えないという不具合を感覚的に感知して、原因を調査している。特に室外機における熱交換が不十分という状況は発見し難く、通常、室内機に問題がないかという観点から調査が行われるため、原因究明に時間がかかるという問題がある。
【０００６】
この発明は、上記の事情を考慮したもので、空調機に関わる状況を客観的かつ容易に確認することができ、たとえば不具合が存在する場合は迅速な対処が可能な空調機データ提供システムおよび空調機データ提供方法を提供することを目的としている。
【課題を解決するための手段】
【０００７】
請求項１に係る発明の空調機データ提供システムは、室外機および複数の室内機を有する空調機の空調機データ提供システムであって、各室内機の室内温度制御に基づく発停回数データを収集する手段と、この収集された発停回数データのうち所定期間中の発停回数データを出力する手段と、を備えている。発停回数が多い場合は室内機が設置されている被空調空間に対して空調能力が過多で、逆に発停回数が少ない場合は空調能力が不足であることが判る。この結果、空調機の使用者は、空調機の買い替え、他の空調機との入れ換え、新しい空調機の買い増しを検討したり、被空調空間の間仕切りの変更などを検討することができる。
【０００８】
請求項２に係る発明の空調機データ提供システムは、冷暖房の運転モード、被空調空間の設定温度を定めるための温度設定手段、被空調空間の温度を検知する室温センサを有する空調機の空調機データ提供システムであって、上記温度設定手段による設定温度データおよび上記室温センサの検知温度データを上記運転モード別に収集する手段と、この収集された運転モード別の設定温度データおよび検知温度データのそれぞれ所定期間中の平均値を求める手段と、この求められた結果を出力する手段と、を備えている。室温データと設定温度データとの差が大きい場合は空調機の空調能力が不足で、逆に差が小さい場合は空調能力が過多であると考えられる。この結果、空調機の使用者は、空調機の買い替え、他の空調機との入れ換え、新しい空調機の買い増しを検討したり、被空調空間の間仕切りの変更などを検討することができる。
【０００９】
請求項３に係る発明の空調機データ提供システムは、室外機および室内機を有し、かつ室外機に室外の温度を検知する外気温センサを有する空調機の空調機データ提供システムであって、上記外気温センサの検知温度データを収集する手段と、この収集されたデータのうち所定期間中のデータを出力する手段と、を備えている。外気温センサの検知温度が異常の場合、室外機の周辺に障害物が存在することが想定され、そのことから室外機の設置環境が悪いことを認識できて、室外機の周辺の障害物を取り除いたり、室外機の設置場所の変更などを検討することができる。
【００１０】
請求項４に係る発明の空調機データ提供システムは、室外機および複数の室内機を有する空調機の空調機データ提供システムであって、室外機における圧縮機の発停回数データを収集する手段と、この収集された発停回数データのうち所定期間中の発停回数データを出力する手段と、を備えている。発停回数が多い場合は空調機が設置されている被空調空間に対して空調能力が過多で、逆に発停回数が少ない場合は空調能力が不足であることが判る。この結果、空調機の使用者は、空調機の買い替え、他の空調機との入れ換え、新しい空調機の買い増しを検討したり、被空調空間の間仕切りの変更などを検討することができる。
【００１１】
請求項５に係る発明の空調機データ提供システムは、室外機、複数の室内機、冷暖房の運転モード、被空調空間の設定温度を定めるための温度設定手段、被空調空間の温度を検知する室温センサを有し、かつ室外機に室外の温度を検知する外気温センサを設けた複数の空調機の空調機データ提供システムであって、上記各室内機の室内温度制御に基づく発停回数データを収集する手段と、この収集された発停回数データのうち所定期間中の発停回数データを一覧表にして出力する手段と、上記温度設定手段による設定温度データおよび前記室温センサの検知温度データを前記運転モード別に収集する手段と、この収集された運転モード別の設定温度データおよび検知温度データのそれぞれ所定期間中の平均値を求める手段と、この求められた結果を上記一覧表に含めて出力する手段と、上記外気温センサの検知温度データを収集する手段と、この収集されたデータのうち所定期間中のデータを一覧表に含めて出力する手段と、を備えている。複数の空調機のそれぞれの状況を相互に比較することが容易となる。
【００１２】
請求項６に係る発明の空調機データ提供方法は、室外機、複数の室内機、冷暖房の運転モード、被空調空間の設定温度を定めるための温度設定手段、被空調空間の温度を検知する室温センサを有し、かつ室外機に室外の温度を検知する外気温センサを設けた複数の空調機の空調機データ提供方法であって、上記各室内機の室内温度制御に基づく発停回数データを収集するステップと、この収集された発停回数データのうち所定期間中の発停回数データを一覧表にして出力するステップと、上記温度設定手段による設定温度データおよび前記室温センサの検知温度データを前記運転モード別に収集するステップと、この収集された運転モード別の設定温度データおよび検知温度データのそれぞれ所定期間中の平均値を求めるステップと、この求められた結果を上記一覧表に含めて出力するステップと、上記外気温センサの検知温度データを収集するステップと、この収集されたデータのうち所定期間中のデータを一覧表に含めて出力するステップと、を備えている。複数の空調機のそれぞれの状況を相互に比較することが容易となる。
【発明の効果】
【００１３】
この発明によれば、空調機に関わる状況を客観的かつ容易に確認することができ、たとえば不具合が存在する場合は迅速な対処が可能な空調機データ提供システムおよび空調機データ提供方法を提供できる。
【発明を実施するための最良の形態】
【００１４】
以下、この発明の一実施形態について図面を参照しながら説明する。  
図１に示すように、建物１に複数の室外機２および複数の室内機３が設置されている。これら室外機２および室内機３は、集中管理リモコン４と共にメインバス５に接続されて、冷暖房の運転モードを有する複数台の空調機を構成している。
【００１５】
各空調機のメインバス５は、それぞれ中継インタフェース６を介してローカルサーバ７に接続され、そのローカルサーバ７がＡＤＳＬルータ８および通信ネットワーク（例えばインターネット）３０を介してデータセンタ４０に接続されている。
【００１６】
また、建物１から離れた場所に遠隔監視センタ３１およびサービスセンタ３２，３３が設置され、その各センタのコンピュータ端末が上記通信ネットワーク３０を介してデータセンタ４０に接続されている。各センタには、各空調機の点検や修理を担当する保守サービス員が待機している。遠隔監視センタ３１のコンピュータ端末は、各空調機の異常を検出する手段、およびその検出された異常に対する処置内容を保守サービス員の操作により入力する手段を有している。
【００１７】
データセンタ４０には、ＷＥＢ／ＡＰサーバ５０およびＤＢサーバ６０が設置されている。ＷＥＢ／ＡＰサーバ５０は、通信ネットワーク３０とのデータ送受信を行う送受信部５１、上記ローカルサーバ７およびセンタ３１，３２，３３のコンピュータ端末に対するデータ送受信を管理するＷＥＢサーバ本体５２、後述のデータ収集・記憶部６２からデータを取込んで処理するデータ処理部５３、このデータ処理部５３で処理されたデータを出力するための表示部（ＣＲＴ）５４およびプリンタ５５を有している。ＤＢサーバ６０は、通信ネットワーク３０からデータを受信する受信部６１、ローカルサーバ７から各空調機のデータを収集して記憶するデータ収集・記憶部６２を有している。
【００１８】
各室外機２および各室内機３の具体的な構成を図２に示している。  
各室外機２は、制御部であるところの室外制御回路１０を有している。この室外制御回路１０に、外気温度を検知する外気温度センサ１１、室外ファンモータ１２、およびインバータ１３などが接続されている。インバータ１３は、商用交流電源１５の電圧を整流し、その整流後の直流電圧を室外制御回路１０からの指令に応じた周波数の電圧に変換して出力する。この出力電圧の周波数に応じて、圧縮機モータ１４の回転数が変化する。すなわち、室外制御回路１０は、同じ空調機を構成している各室内機３からの要求能力に応じて、かつ各室内機３の定格能力を加味した上で、インバータ１３の出力周波数を決定する。各室内機３からの要求能力が零の場合は、インバータ１３の駆動が停止され（出力周波数が零となる）、圧縮機モータ１４が停止する（圧縮機運転オフ）。その後、各室内機３からの要求能力が存在すると、インバータ１３が再び駆動され、圧縮機モータ１４が動作する（圧縮機運転オン）。
【００１９】
各室内機３は、制御部であるところの室内制御回路２０を有している。この室内制御回路２０に、被空調空間の設定温度などを定めるための温度設定手段であるリモコン２１、被空調空間の温度を検知する室温センサ２２、冷凍サイクルの開閉弁２３、および室内ファンモータ２４などが接続されている。なお、集中管理リモコン４も、各室内機３に対する温度設定機能を有している。
【００２０】
室内制御回路２０は、室温センサ２２の検知温度とリモコン２１（または集中管理リモコン４）の設定温度との差を要求能力として室外機２に送り、検知温度が設定温度に達して差が零になると開閉弁２３を閉じて冷媒の流れを止めることにより空調をオフし（サーモオフ）、その後、検知温度と設定温度との差が再び生じると開閉弁２３を開いて冷媒を流すことにより空調をオンする（サーモオン）。
【００２１】
一方、データセンタ４０におけるデータ処理部５３は、主要な機能として次の（１）〜（10）の手段を有している。  
（１）各室内機３の室内温度制御（サーモオン，サーモオフ）に基づく発停回数データ（空調オン，オフ回数のデータ）をデータ収集・記憶部６２に収集する手段。
【００２２】
（２）各室外機２における圧縮機（圧縮機モータ１４）の発停回数データ（運転オン，オフ回数のデータ）をデータ収集・記憶部６２に収集する手段。
【００２３】
（３）データ収集・記憶部６２に収集された各室内機３の発停回数データおよび各圧縮機の発停回数データのうち、所定期間中のそれぞれ発停回数データを一覧表にして、表示部５４またはプリンタ５５から出力、あるいはセンタ３１，３２，３３からの要求に応じてそのセンタ３１，３２へ送信出力する手段。
【００２４】
（４）各室内機３におけるリモコン２１（あるいは集中管理リモコン４）による設定温度データおよび各室内機３における室温センサ２２の検知温度データを運転モード別（冷暖房別）にデータ収集・記憶部６２に収集する手段。
【００２５】
（５）上記収集された運転モード別の設定温度データおよび検知温度データのそれぞれ所定期間中の平均値を求める手段。
【００２６】
（６）上記求められた結果を上記一覧表に含めて、表示部５４またはプリンタ５５から出力、あるいはセンタ３１，３２，３３からの要求に応じてそのセンタ３１，３２，３３へ送信出力する手段。
【００２７】
（７）各室外機２における外気温センサ１１の検知温度データをデータ収集・記憶部６２に収集する手段。
【００２８】
（８）上記収集された外気温センサ１１の検知温度データのうち所定期間中のデータを上記一覧表に含めて、表示部５４またはプリンタ５５から出力、あるいはセンタ３１，３２，３３からの要求に応じてそのセンタ３１，３２，３３へ送信出力する手段。
【００２９】
（９）遠隔監視センタ３１で検出された異常データをデータ収集・記憶部６２に収集する手段。
【００３０】
（10）遠隔監視センタ３１で入力された処置内容と上記収集された異常データとの対応表を上記一覧表と共に表示部５４またはプリンタ５５から出力、あるいはセンタ３１，３２，３３からの要求に応じてそのセンタ３１，３２，３３へ送信出力する手段。
【００３１】
つぎに、上記の構成の作用を説明する。  
各室内機３では室温センサ２２の検知温度に応じて冷房運転または暖房運転がオン，オフ制御されており、その室内温度制御に基づく発停回数データが通信ネットワーク３０を介してデータセンタ４０のデータ収集・記憶部６２に収集される。
【００３２】
各室外機２では各室内機３の運転状況に応じて圧縮機の運転がオン，オフ制御されており、その圧縮機の発停回数データが通信ネットワーク３０を介してデータセンタ４０のデータ収集・記憶部６２に収集される。
【００３３】
各室内機３のリモコン２１（あるいは集中管理リモコン４）による設定温度データ、および各室内機３における室温センサ２２の検知温度データが、運転モード別（冷暖房別）に、通信ネットワーク３０を介してデータセンタ４０のデータ収集・記憶部６２に収集される。
【００３４】
各室外機２における外気温センサ１１の検知温度データが、通信ネットワーク３０を介してデータセンタ４０のデータ収集・記憶部６２に収集される。
【００３５】
各空気調和機のいずれかに異常が生じた場合は、その異常が遠隔監視センタ３１で検出される。そして、検出された異常データが、通信ネットワーク３０を介してデータ収集・記憶部６２に収集される。また、遠隔監視センタ３１では、検出された異常に対する処置内容が保守サービス員の操作により入力される。
【００３６】
一方、データセンタ４０において、係員による出力操作に応じて、あるいは遠隔監視センタ３１やサービスセンタ３２，３３の保守サービス員からの出力指示に応じて、データ収集・記憶部６２に収集された各室内機３の発停回数データおよび各圧縮機の発停回数データのうち、所定期間たとえば１ヶ月間のそれぞれ発停回数データが、図３に示すような一覧表の形の報告書として出力される。
【００３７】
実際の出力形態として、表示部５４での表示出力、プリンタ５５からのプリント出力、あるいは遠隔監視センタ３１やサービスセンタ３２，３３への送信出力もある。
【００３８】
出力される一覧表の中には、各室内機３の発停回数データおよび各圧縮機の発停回数データだけでなく、運転モード別の設定温度データおよび検知温度データのそれぞれ１ヶ月間の平均値、外気温センサ１１の検知温度データのうち１ヶ月間のデータなども含まれている。また、報告書には、一覧表に加えて、各空調機の異常データとその異常に対して実施された処置内容との対応表が含まれている。
【００３９】
各空調機の使用者や保守サービス員は、出力された一覧表および対応表を見ることにより、各空調機に関わる状況を客観的かつ容易に確認することができ、たとえば不具合が存在する場合は迅速な対処が可能となる。複数の空調機のそれぞれの状況を相互に比較したり、異常の内容を確認することもできる。
【００４０】
たとえば、室内機３の発停回数が多い場合は室内機が設置されている被空調空間に対して空調能力が過多で、逆に発停回数が少ない場合は空調能力が不足であることが判る。この能力過多および能力不足の判定結果を図３の報告書に加えることができる（図示斜線部分）。この結果、空調機の使用者は、空調機の買い替え、他の空調機との入れ換え、新しい空調機の買い増しを検討したり、被空調空間の間仕切りの変更などを検討することができる。
【００４１】
室温データと設定温度データとの差が大きい場合は空調機の空調能力が不足で、逆に差が小さい場合は空調能力が過多であると考えられる。この結果、空調機の使用者は、上記同様に、空調機の買い替え、他の空調機との入れ換え、新しい空調機の買い増しを検討したり、被空調空間の間仕切りの変更などを検討することができる。
【００４２】
外気温センサ１１の検知温度が異常の場合は、室外機２の周辺に障害物が存在することが想定され、そのことから室外機２の設置環境が悪いことを認識できて、室外機２の周辺の障害物を取り除いたり、室外機２の設置場所の変更などを検討することができる。
【００４３】
室外機２における圧縮機の発停回数が多い場合は空調機が設置されている被空調空間に対して空調能力が過多で、逆に発停回数が少ない場合は空調能力が不足であることが判る。なお、圧縮機の発停回数は、報告書の一覧表において、室外機の発停回数に相当する。この圧縮機の発停回数については、少なくとも１台の室外機２に複数台の室内機３が接続されるマルチタイプの空調機よりも、１台の室外機に１台の室内機が接続されるシングルタイプの空調機の場合により有効な資料となる。
【００４４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００４５】
【図１】この発明の一実施形態の全体的な構成を示すブロック図。
【図２】同実施形態における室外機および室内機の具体的な構成を示すブロック図。
【図３】同実施形態における一覧表および対応表を示す図。
【符号の説明】
【００４６】
１…建物、２…室外機、３…室内機、５…メインバス、６…中継インタフェース、７…ローカルサーバ、３０…通信ネットワーク、３１…遠隔監視センタ、３２…サービスセンタ、４０…データセンタ、５０…ＷＥＢ／ＡＰサーバ、５１…送受信部、５２…ＷＥＢサーバ本体、５３…データ処理部、５４…表示部（出力手段）、５５…プリンタ（出力手段）、６０…ＤＢサーバ、６１…受信部、６２…データ収集・記憶部
【図１】
2005121276.tif 000003
【図２】
2005121276.tif 000004
【図３】
2005121276.tif 000005